(57)【特許請求の範囲】
【請求項１】
可動体の動作により演出を行う可動演出装置を遊技盤に備えた遊技機において、
板状に形成され、板の平面を構成する上面及び下面、並びに板の側縁を構成する側面を有し、前記可動演出装置の演出を含む遊技を制御する制御基板と、
前記遊技盤の後面に配置された裏ユニットと、
前記遊技盤の前面側を流下する遊技球を入賞球としてその後面側に通す入賞口と、
前記入賞球が通過したとき信号を出力する入賞口スイッチと、
を有し、
前記裏ユニットは、
その中央部に画成された前記可動演出装置用の設置スペースと、
その外縁部に設けられ、前記制御基板が載置される基板載置部と、
その外縁部において前記基板載置部が載置される位置より前記遊技盤の後面側に設けられ、前記入賞口スイッチが嵌め込まれるスイッチ設置部と、
を備え、
前記入賞口スイッチは、長尺状に形成され、その長手方向が前記遊技盤の後面に沿うように、かつ、後方に突出するように前記スイッチ設置部に嵌め込まれるようにして設置され、
前記基板載置部は、前記遊技盤の後面側から後方に向かって前記外縁部から前記中央部の方向に傾斜し、前記設置された前記入賞口スイッチに対し前記制御基板が後方から重なるように、かつ、前記設置スペースの方に傾けられた状態になるように載置される斜面部を有し、
前記基板載置部は、
前記裏ユニットの中央部側の位置に配置され、前記制御基板の上面又は下面が当接する第１斜面部と、
前記裏ユニットの外縁部側の位置に、前記第１斜面部と対向するように配置され、前記制御基板の側面が当接する第２斜面部と、
を有し、
前記遊技盤の後面に対する前記第１斜面部の傾斜角度は、前記第２斜面部の傾斜角度より大きく、
前記入賞口スイッチの下流側において入賞球を排出する経路が形成されるように、前記第２斜面部における前記遊技盤に対する位置が設定される
ことを特徴とする遊技機。
【発明の詳細な説明】
【技術分野】
【０００１】
この発明は、可動演出装置を備えた遊技機に関する。
【背景技術】
【０００２】
可動演出装置は、可動体の動作により演出を行うもので、遊技盤に設けられている（例えば、特許文献１参照）。
【０００３】
遊技盤の後方位置には、可動体を駆動するための駆動機構、及びそれを制御する制御基板などが配置されている。駆動機構及び制御基板などを「駆動機構等」という場合がある。
【０００４】
近年の遊技機においては、複数の可動演出装置を設け、あるいは、可動演出装置を大型化するなどして演出の興趣を向上させている。
【０００５】
このように可動演出装置を構成すると、駆動機構等の設置スペースが増大する。それに応じて、駆動機構等が遊技盤から後方に突出する量も増える。
【先行技術文献】
【特許文献】
【０００６】
【特許文献１】特開２００９−１１２８４８号公報
【発明の概要】
【発明が解決しようとする課題】
【０００７】
上記従来の技術では、駆動機構等が遊技盤から後方に突出する量が増えると、遊技機同士が背中合わせで遊技場に設置されるとき、駆動機構等同士が干渉し合うおそれがあるという問題点があった。
【０００８】
一方で、駆動機構等を複数設けたり、大型化させたりせずに、演出の興趣を向上させることは困難である。
【０００９】
この発明は、上記の問題を解決するものであり、駆動機構等が遊技盤の後方へ突出する量を制限した上で、駆動機構等を複数設けたり、大型化させたりすることにより、演出の興趣を向上させることが可能な遊技機を提供することを目的とする。
【課題を解決するための手段】
【００１０】
上記課題を解決するため、この発明の第１の形態は、可動体の動作により演出を行う可動演出装置を遊技盤に備えた遊技機において、板状に形成され、板の平面を構成する上面及び下面、並びに板の側縁を構成する側面を有し、前記可動演出装置の演出を含む遊技を制御する制御基板と、前記遊技盤の後面に配置された裏ユニットと、前記遊技盤の前面側を流下する遊技球を入賞球としてその後面側に通す入賞口と、前記入賞球が通過したとき信号を出力する入賞口スイッチと、を有し、前記裏ユニットは、その中央部に画成された前記可動演出装置用の設置スペースと、その外縁部に設けられ、前記制御基板が載置される基板載置部と、その外縁部において前記基板載置部が載置される位置より前記遊技盤の後面側に設けられ、前記入賞口スイッチが嵌め込まれるスイッチ設置部と、を備え、前記入賞口スイッチは、長尺状に形成され、その長手方向が前記遊技盤の後面に沿うように、かつ、後方に突出するように前記スイッチ設置部に嵌め込まれるようにして設置され、前記基板載置部は、前記遊技盤の後面側から後方に向かって前記外縁部から前記中央部の方向に傾斜し、前記設置された前記入賞口スイッチに対し前記制御基板が後方から重なるように、かつ、前記設置スペースの方に傾けられた状態になるように載置される斜面部を有し、前記基板載置部は、前記裏ユニットの中央部側の位置に配置され、前記制御基板の上面又は下面が当接する第１斜面部と、前記裏ユニットの外縁部側の位置に、前記第１斜面部と対向するように配置され、前記制御基板の側面が当接する第２斜面部と、を有し、前記遊技盤の後面に対する前記第１斜面部の傾斜角度は、前記第２斜面部の傾斜角度より大きく、前記入賞口スイッチの下流側において入賞球を排出する経路が形成されるように、前記第２斜面部における前記遊技盤に対する位置が設定されることを特徴とする遊技機である。
【００１２】
さらに、この発明の第３の形態は、第１の形態に係る遊技機であって、前記裏ユニットの外縁には外壁が設けられ、前記入賞口スイッチは、その外側が前記外壁、前側が前記遊技盤、後側が前記制御基板により囲まれた空間に配置されていることを特徴とする。
【００１３】
さらに、この発明の第４の形態は、第３の形態に係る遊技機であって、前記入賞口スイッチに対して前記裏ユニットの中央部側から接続され、前記信号を前記制御基板へ導くリード線が延設されたコネクタをさらに有することを特徴とする。
【００１４】
さらに、この発明の第５の形態は、第４の形態に係る遊技機であって、前記リード線は、前記斜面部の内面側に配置されていることを特徴とする。
【発明の効果】
【００１５】
この発明の第１の形態によると、入賞口スイッチの長手方向が遊技盤の後面に沿うように設置されるので、入賞口スイッチが後方へ突出する量が抑えられ、さらに、制御基板が入賞口スイッチの後方に重なるように、かつ、設置スペースの方に傾けられた状態になるように載置されているので、制御基板が遊技盤の後方へ突出する量が抑えられ、遊技機同士が背中合わせで遊技場に設置されるとき、制御基板を含む駆動機構等同士が干渉し合うおそれがないため、その分だけ駆動機構等を大型化することができ、それにより、演出の興趣を向上させることが可能となる。
【００１６】
さらに、この発明の第２の形態によると、制御基板を設置スペース側に大きく傾かせないので、設置スペースの領域が狭まるのを防止することが可能となる。
【００１７】
また、この発明の第３の形態によると、外壁、遊技盤、及び制御基板により囲まれた空間に入賞口スイッチが配置されているので、外部から入賞口スイッチに不正にアクセスするのを困難とすることが可能となる。
【００１８】
さらに、この発明の第４の形態によると、可動演出装置を外した上で、設置スペース側からコネクタを入賞口スイッチに抜き差しする必要があるので、外部から入賞口スイッチに不正にアクセスするのを困難とすることが可能となる。
【００１９】
さらに、この発明の第５の形態によると、斜面部の内面側に配置されているので、内面側のスペースをリード線の引き回しスペースとして有効に利用することが可能となり、また、リード線への不正アクセスを困難とすることができる。
【図面の簡単な説明】
【００２０】
【図１】遊技機の全体を示す模式図である。
【図２】遊技盤の正面図である。
【図３】遊技盤を斜め後方から見たときの分解斜視図である。
【図４】遊技を制御する制御基板の機能ブロック図である。
【図５】主制御基板及びサブ統括制御基板が装着された遊技盤の背面図である。
【図６】図２のＡ−Ａ線断面図である。
【図７】入賞口スイッチの周辺を水平面で切断したときの遊技盤の部分断面図である。
【図８】基盤載置部の周辺を水平面で切断したときの遊技盤の部分断面図である。
【図９】基盤載置部の周辺を水平面で切断したときの遊技盤の部分断面図である。
【図１０】取り付けられた状態の入賞口スイッチの周辺を前後方向を含む垂直面で切断したときの遊技盤の部分断面図である。
【図１１】主制御基板及びサブ統括制御基板が装着された遊技盤の右側面図である。
【図１２】主制御基板及びサブ統括制御基板が装着された遊技盤の平面図である。
【図１３】主制御基板及びサブ統括制御基板が外された遊技盤を斜め後方から見たときの斜視図である。
【発明を実施するための形態】
【００２１】
〔遊技機の基本構成〕
本発明の一実施形態に係る遊技機について各図を参照して説明する。
【００２２】
以下、遊技機の基本的な構成について図面を参照して説明する。なお、以下の説明において、「上」、「下」、「左」、「右」、「表（前）」、及び「裏（後）」は、特に断らない限り、遊技機１を遊技者側から見た場合における各方向を示すものとする。なお、左方、右方、上方、下方、前方、後方を、Ｘ１方向、Ｘ２方向、Ｙ１方向、Ｙ２方向、Ｚ１方向、Ｚ２方向という場合がある。
【００２３】
図１は、本実施形態の遊技機１の全体を示す模式図、図２は遊技盤の正面図である。
【００２４】
（遊技盤）
図１に示す遊技機１は、所謂パチンコ機である。この遊技機１には、遊技盤７０が機内部に配置されている。遊技盤７０上には、遊技球Ｐを射出する打球装置２０がそのハンドル部分を前面に露出させて設けられている。ここで遊技盤７０上とは遊技盤７０の盤面上をいう。遊技機１は、遊技者が打球装置２０のハンドルを操作することで遊技球Ｐを遊技盤７０上に射出する。そして、遊技盤７０上には、入賞口７６（図２に示す）等のポケットが配されており、遊技盤７０上を転動流下する遊技球Ｐがこの入賞口７６等に入球した場合に、所定数の遊技球Ｐを払い出す。遊技機１は、上皿３０や下皿４０を備えており、遊技球Ｐは、この上皿３０や下皿４０に払い出されて貯留される。
【００２５】
このような遊技機１は、機体の外郭をなす縦長方形状の外枠１０を備えている。外枠１０は、遊技ホールの島設備に取り付け固定される。外枠１０の下部は、合成樹脂製の腰板ユニット１１で構成されている。外枠１０の開口前面側には、各種の遊技用構成部材をセットするために縦長方形状の中枠１２が開閉可能に取り付けられている。外枠１０には、一方の側縁部にヒンジ機構１３が設けられており、中枠１２は、ヒンジ機構１３に枢支されることで開閉可能となっている。
【００２６】
中枠１２の前面側には、機内部に配置された遊技盤７０を透視保護するためのガラス枠を備えた前枠１４と上皿３０とが、横開き状態で開閉可能に組み付けられている。この前枠１４と上皿３０も外枠１０に設けられたヒンジ機構１３で枢支されることで開閉可能となっている。中枠１２の前面側において上皿３０の下方には、下皿４０や打球装置２０のハンドルが装着されている。
【００２７】
上皿３０には、その左方側に機内部から払出される遊技球Ｐの上皿払出口３１が設けられている。入賞等により払い出された遊技球Ｐは、上皿払出口３１から上皿３０に排出される。そして、上皿３０に貯留されている遊技球Ｐは、機内へ取り込まれて、打球装置２０によって遊技盤７０に向けて発射される。上皿３０の前面には、上皿球抜きボタン３２が設けられている。上皿３０と下皿４０とは、図示しない球抜き通路で繋がっている。球抜き通路は、上皿球抜きボタン３２の押下操作によって開通し、上皿３０に貯留されている遊技球Ｐを下皿４０に向けて流下させる。
【００２８】
遊技機１は、入賞、図柄変動、大当り状態、リーチ状態などの各種遊技の状態に応じた各種の演出を行う。遊技機１の前面側には、各種音声を出力して音声演出を行うスピーカ５０が配置されている。スピーカ５０は、前枠１４や中枠１２の裏面に装着されており、装着部位に対応する遊技機１の表面には図示しない放音孔が複数形成されている。各スピーカ５０は、効果音等の各種音声を出力し、音声出力に基づく遊技演出を行う。また、前枠１４のほぼ全周を囲むように装飾ランプ７５が配置されている。各装飾ランプ７５は、ＬＥＤランプ等の発光体を備え、遊技の状態に応じて点灯または消灯して、発光装飾に基づく遊技演出を行う。
【００２９】
図２に示すように、遊技盤７０の前面には、外レール７１と内レール７２が敷設されている。外レール７１と内レール７２は、パチンコ遊技の主体となるほぼ円形の遊技領域７４を遊技盤７０上に区画形成する。内レール７２は、外レール７１の内側に敷設されている。外レール７１と内レール７２とは、遊技盤７０の左下方から左上方に向かって延設されており、打球装置２０から射出された遊技球Ｐを遊技領域７４に誘導する円弧状の誘導路７３を形成している。
【００３０】
（入賞口）
遊技盤７０の遊技領域７４には、複数の入賞口７６が配されている。これらの各入賞口７６は、遊技盤７０から前方向に直立し、上方に開口を有するポケット形状を有する。入賞口７６は、遊技盤７０の前面側を流下する遊技球Ｐを入賞球として遊技盤７０の後面側に通す。遊技盤７０の後面側には、入賞球が通過したとき信号を出力する入賞口スイッチ３０９が配されている（図４に示す入賞口ＳＷ）。入賞口スイッチ３０９の詳細については後述する。
【００３１】
遊技盤７０の遊技領域７４の最下部には、いずれの入賞口７６にも入球せずにアウト球となった遊技球Ｐが入球するアウト球口７７が配設されている。このアウト球口７７は、アウト球を回収して内部へ送出し、機外排出を行うために設けられている。
【００３２】
遊技盤７０の遊技領域７４には、中央に開口を有した大型の枠体であるセンター役物１００が装着されている。
【００３３】
遊技領域７４内であってセンター役物１００の下方には、始動口７９が設けられている。この始動口７９は、遊技盤７０から前方向に直立し、上方に開口を有するポケット形状を有する。ポケット内部には、遊技球Ｐを検知するセンサが配されている。遊技機１は、始動口７９に遊技球Ｐが入球すると、センサがこの入球を検知したことを契機として図柄変動ゲームを開始する。
【００３４】
（図柄表示部）
センター役物１００の開口１００ａの下部領域には図柄表示部７８が配置されている。図柄表示部７８は、開口を通して遊技者に視認可能になっている。
図柄表示部７８には、複数種類の図柄を変動させて複数列の図柄からなる図柄組み合わせを導出する図柄変動ゲームなどの表示演出の画像が表示される。
【００３５】
図柄変動ゲームにおいて図柄表示部７８では、複数種類の飾り図柄（以下、「飾図」と示す）を複数列で変動させて各列に飾図が表示される。飾図は、図柄表示部７８で行われる表示演出を多様化するために用いられる演出用の図柄である。
【００３６】
図柄表示部７８には、図柄変動ゲームで導出される３列の図柄毎に対応して、各列の図柄を停止表示させる３つの図柄表示位置ＨＰ１，ＨＰ２，ＨＰ３が定められている。停止表示では、図柄表示部７８の各図柄表示位置ＨＰ１〜ＨＰ３において図柄の種類を遊技者が識別可能な状態で図柄が表示される。この停止表示には図柄が一時的に停止している一旦停止表示と、図柄が確定的に停止している確定停止表示とがある。
【００３７】
そして、図柄表示部７８では、図柄変動ゲームが開始すると図柄が変動表示されるとともに、変動の停止によって各列の図柄表示位置ＨＰ１〜ＨＰ３に１つの図柄が一旦停止表示され、その後に図柄変動ゲームが終了すると各列の図柄表示位置ＨＰ１〜ＨＰ３に１つの図柄が確定停止表示される。変動表示では、図柄表示部７８において図柄が予め定めた表示順序にしたがって変動しながら表示される。
【００３８】
図柄変動ゲームでは、各列に［１］〜［８］の８種類の数字が飾図として表示可能とされている。そして、図柄表示部７８で図柄変動ゲームが開始すると、各列の図柄は、予め定められた表示順序で図柄表示部７８の上方から下方にスクロールさせながら変動表示されるようになっている。
【００３９】
図柄表示部７８には、当該図柄表示部７８に定められる３つの図柄表示位置ＨＰ１〜ＨＰ３を結んでなる組み合わせ有効ラインＬが形成されている。なお、図２では、説明の便宜上、各図柄表示位置ＨＰ１〜ＨＰ３、及び有効ラインＬを図示しているが、実機においては、これらの図柄表示位置ＨＰ１〜ＨＰ３、及び有効ラインＬが目視可能な状態で表示されている必要はない。有効ラインＬに停止表示された３つの図柄からなる図柄組み合わせが、大当りか否かを遊技者に認識させるための有効な図柄組み合わせとなる。
【００４０】
図柄変動ゲームでは、有効ラインＬに停止表示させる３列の飾図を同一の飾図として形成した図柄組み合わせを、内部抽選で大当りを決定した場合に図柄表示部７８に確定停止表示させる飾図の大当り図柄としている。例えば、飾図による大当りの図柄組み合わせは、［１１１］や［７７７］などである。一方、有効ラインＬに停止表示させる３列の飾図を同一の飾図とせずに形成した図柄組み合わせを、内部抽選ではずれを決定した場合に演出表示装置に確定停止表示させる飾図のはずれ図柄としている。３列の飾図が同一の飾図とならない場合には、３列の飾図の全てが異なる場合や、２列の飾図が同一で、かつ１列の飾図が異なる場合が含まれる。例えば、飾図のはずれ図柄組み合わせは、［１２３］、［１１５］、［７６７］や［８８９］などである。
【００４１】
始動口７９の横には、大入賞口８０が配されている。大入賞口８０は、開閉動作可能な開閉扉８０ａで閉じられている。開閉扉８０ａは、図柄変動ゲームで大当りが決定されると、予め定めた開放時間や開放回数で開動作し、遊技球Ｐの入球を許容する。そして、大入賞口８０には、遊技球Ｐを検知するセンサが設けられており、遊技機１は、大入賞口８０への入球を検知すると、所定球数の遊技球Ｐを払い出す。
【００４２】
（裏ユニット）
図３は遊技盤を斜め後方から見たときの分解斜視図である。
【００４３】
図２及び図３に示すように、遊技盤７０の背面に裏ユニット１１０が配置されている。なお、裏ユニット１１０を含んで、遊技盤７０という場合がある。裏ユニット１１０の詳細については後述する。
【００４４】
（可動演出装置）
センター役物１００の開口１００ａの下部領域（図柄表示部７８が設けられる領域）を除く大部分の領域には可動演出装置２００が配置されている。
【００４５】
可動演出装置２００は、前部である可動体２１０を有し、可動体２１０の動作により演出を行う。可動体２１０はセンター役物１００の開口１００ａの中央部に配置されている。可動演出装置２００の後部２２０には、可動体２１０を駆動するための駆動機構等が設けられている。後部２２０は、遊技盤７０から後方に突出し、設置スペース１２０に嵌め込まれている。
【００４６】
（制御基板）
次に、図柄表示部７８の表示演出、及び可動演出装置２００の演出を含む遊技を制御する制御基板３００について図４を参照して説明する。図４はパチンコ機の制御構成を示すブロック図である。
【００４７】
図４に示すように、制御基板３００には、主制御基板３１０、サブ統括制御基板３２０、演出表示制御基板３３０、音声・ランプ制御基板３４０、図柄表示基板３５０、及び、賞球残数表示基板３６０が含まれる。
【００４８】
主制御基板３１０は、メインＣＰＵ、メインＲＯＭ、メインＲＡＭおよびこれらを接続する主制御回路を備え、遊技機全体を制御するための各種処理を実行し、該処理結果に応じて各種の制御信号（制御コマンド）を出力する。
【００４９】
さらに、主制御基板３１０には、各種スイッチ３０７及びソレノイド３０８等が接続されている。各種スイッチ３０７には、入賞口スイッチ３０９のほか、図示しない始動口スイッチ、カウントスイッチ、普通図柄検知スイッチが含まれる。ソレノイド３０８には、図示しない普通電動役物ソレノイド、大入賞口ソレノイドが含まれる。
【００５０】
サブ統括制御基板３２０は、統括ＣＰＵ、統括ＲＯＭ、統括ＲＡＭおよびこれらを接続するサブ統括制御回路が設けられている。統括ＲＯＭには主に演出内容を決定するためのプログラムが記憶されている。統括ＣＰＵは主制御基板から入力される各種コマンドに基づいて演出内容を決定する。統括ＲＡＭには、パチンコ機の動作中に適宜書き換えられる各種情報（乱数の値など）が記憶される。
【００５１】
図５は主制御基板３１０及びサブ統括制御基板３２０が装着された遊技盤の背面図である。図３及び図５に示すように、サブ統括制御基板３２０の外形を構成し、統括ＣＰＵ等の部品を収容するケース３２１が設けられている。
【００５２】
ケース３２１は、板状であって縦が約１２０ｍｍ、横が約２００ｍｍ、厚さが約２５ｍｍの略直方体に形成され、約１２０ｍｍ×約２００ｍｍの略矩形状の上面３２２及び下面３２３、約２５ｍｍ×約２００ｍｍの略矩形状の前側面３２４及び後側面３２５、並びに、約２５ｍｍ×約１２０ｍｍの略矩形状の上側面３２６及び下側面３２７を有している。
【００５３】
演出表示制御基板３３０は、サブ統括制御基板３２０から与えられた乱数値などに基づいて図柄表示部７８の表示内容（図柄、背景、文字、キャラクタなどの表示画像）を制御する。
【００５４】
音声・ランプ制御基板３４０は、音声・ランプＣＰＵ、音声・ランプＲＯＭ、音声・ランプＲＡＭのほか、図示しない音声・ランプデータＲＯＭ、音声・ランプデータＲＡＭ、およびこれらを接続する音声・ランプ制御回路などが設けられている。
【００５５】
図柄表示基板３５０は、主制御基板３１０の出力する制御信号に基づき、特別図柄表示装置３５１および普通図柄表示装置３５２の表示態様（図柄などの表示画像）を専門的に制御する基板である。
【００５６】
賞球残数表示基板３６０は、主制御基板３１０に接続され、主制御基板３１０から出力される制御信号を受けて賞球残数表示装置３６１の表示内容を制御している。
【００５７】
（入賞口スイッチ）
次に、入賞口スイッチ３０９について図６及び図７を参照して説明する。図６は図３のＡ−Ａ線断面図である。図７は、入賞口スイッチの周辺を水平面で切断し、これを下方から見たときの遊技盤の部分断面である。図７では、図の左方が右方（Ｘ２方向）を示し、上方が後方（Ｚ２方向）を示す。
【００５８】
入賞口スイッチ３０９は、入賞球が通過したとき信号を出力する。その信号を受けたことを契機として所定球数の遊技球Ｐが上皿３０に払い出される。
【００５９】
図６及び図７に示すように、入賞口スイッチ３０９は、長尺状であって縦が約１５ｍｍ、横が約３０ｍｍ、厚さが約５ｍｍの略直方体に形成され、約１５ｍｍ×約３０ｍｍの略矩形状の上面部３０９ａ及び下面部３０９ｂ、約５ｍｍ×約３０ｍｍの略矩形状の前端面部３０９ｃ及び後端面部３０９ｄ、並びに、約５ｍｍ×約１５ｍｍの略矩形状の左端面部３０９ｅ及び右端面部３０９ｆを有している。入賞口スイッチ３０９の長手方向（横方向）の長さは約３０ｍｍ、短手方向（縦方向）の長さは、約１５ｍｍとなる。
【００６０】
入賞口スイッチ３０９は、その長手方向（横方向）が遊技盤７０の後面に沿うように、かつ、短手方向（縦方向）が遊技盤７０の後面から後方（Ｚ２方向）へ突出する方向となるように配置されている。
【００６１】
このように配置された入賞口スイッチ３０９が遊技盤７０の後面（スイッチ設置部１６０）から後方へ突出する量（約１５ｍｍ）は、その長手方向が遊技盤７０の後面から後方へ突出する方向となるように配置されたときに入賞口スイッチ３０９が後方へ突出する量（約３０ｍｍ）と比較して、約１５（＝３０−１５）ｍｍ減少する。
【００６２】
入賞口スイッチ３０９の左端面部３０９ｅにはソケット３０９ｇが設けられている。入賞口スイッチ３０９の右側の部分には、入賞球が通過する約１２ｍｍ×約１２ｍｍの略矩形状断面形の通過口３０９ｈが設けられている。
【００６３】
〔裏ユニットの詳細〕
次に、裏ユニットの詳細について図３、及び、図６〜図９を参照して説明する。
【００６４】
図８は基盤載置部の周辺を水平面で切断したときの遊技盤の部分断面図、図９は基盤載置部の周辺を水平面で切断したときの遊技盤の部分断面図である。
【００６５】
（底壁、外周壁、外周フランジ、外縁壁）
図３、図６〜図９に示すように、裏ユニット１１０は前方に開いた略Ｕ字状断面形に形成され、底壁１３１、外周壁１３２、外周フランジ１３３、及び、外縁壁１３４を有している。
【００６６】
底壁１３１は後方（Ｚ２方向）に最も突出した部材である。図７に底壁１３１とサブ統括制御基板３２０とのＺ方向の差を“Ｓ”で示す。外周壁１３２は、底壁１３１に連続し、その位置から前方（Ｚ１方向）に立ち上がった部材である。外周フランジ１３３は、外周壁１３２の前端部に連続し、遊技盤７０の後面に沿って外方に延ばされた部材である。外縁壁１３４は、外周フランジ１３３の外縁に連続し、その前端縁を遊技盤７０の後面に近接または当接させた部材である。
【００６７】
底壁１３１及び外周壁１３２により、裏ユニット１１０の中央部が構成されている。裏ユニット１１０の中央部には可動演出装置２００用の設置スペース１２０が画成されている。
【００６８】
外周壁１３２、外周フランジ１３３及び外縁壁１３４により、裏ユニット１１０の外縁部１３０が構成されている。裏ユニット１１０の外縁部１３０により、外部からアクセスし難い内部スペースが画成されている。なお、一つの外周壁１３２が裏ユニット１１０の中央部及び外縁部１３０の両方を構成するものとして示したが、二つの壁がそれぞれを構成するようにしてもよい。
【００６９】
底壁１３１には可動演出装置２００の後部２２０が装着されている。なお、底壁１３１と外周壁１３２とは、別部品により構成されているが、一体的に構成されてもよい。
【００７０】
外周壁１３２と可動体２１０との間の隙間には遮光部材１５０が設けられている。遮光部材１５０は、その隙間を通して、遊技盤７０の内部が見えないように、可動体２１０の側部を外から覆うように形成されている。
【００７１】
（スイッチ設置部）
図１０は取り付けられた状態の入賞口スイッチの周辺を前後方向を含む垂直面で切断したときの遊技盤の部分断面図である。
【００７２】
図７及び図１０に示すように、外周フランジ１３３にはスイッチ設置部１６０及び作業用開口１７０が設けられている。スイッチ設置部１６０は、入賞口スイッチ３０９の前端面部３０９ｃが後方から嵌め込まれるように凹部状に形成されている。作業用開口１７０は、スイッチ設置部１６０の後方位置にあって、入賞口スイッチ３０９の着脱作業をするときに、入賞口スイッチ３０９を通すための開口である。
【００７３】
スイッチ設置部１６０には係止部１６１が設けられている。係止部１６１は、復元力を有し、復元力により入賞口スイッチ３０９の後端面部３０９ｄに係止するように閉じることで、入賞口スイッチ３０９がスイッチ設置部１６０から後方へ抜け出ようとするのを阻止する。
【００７４】
入賞口スイッチ３０９を後方位置から作業用開口１７０を通してスイッチ設置部１６０に嵌め込むとき、また、入賞口スイッチ３０９をスイッチ設置部１６０から作業用開口１７０を通して後方へ抜き出すとき、その復元力に抗して係止部１６１を開けばよく、入賞口スイッチ３０９の着脱作業が容易となる。
【００７５】
（基板載置部）
図１１は主制御基板及びサブ統括制御基板が装着された遊技盤の右側面図、図１２は主制御基板及びサブ統括制御基板が装着された遊技盤の平面図、図１３は、主制御基板及びサブ統括制御基板が外された遊技盤を斜め後方から見たときの斜視図である。
【００７６】
図５〜図９、及び、図１１〜図１３に示すように、裏ユニット１１０の外縁部１３０には基板載置部１４０が設けられている。裏ユニット１１０の外縁部１３０は、右側縁部（図５に示す左側の縁部）、左側縁部（図５に示す右側の縁部）、上縁部、下縁部を有している。ここでは、基板載置部１４０は、裏ユニット１１０の右側縁部に設けられている。
【００７７】
図７及び図８に示すように、基板載置部１４０は、遊技盤７０の後面に向かって下り傾斜をなし、入賞口スイッチ３０９に対しサブ統括制御基板３２０が後方から重なるように、かつ、設置スペース１２０の方に傾けられた状態になるように載置される斜面部１４１を有している。
【００７８】
斜面部１４１は、第１斜面部１４１ａと、第２斜面部１４１ｂとを有している。第１斜面部１４１ａは、外周壁１３２の一部（サブ統括制御基板３２０の横の長さ分に相当する部分）を後方向（Ｚ２方向）に対して左方（Ｘ１方向）に所定角度だけ傾斜させることにより形成されている。
【００７９】
第１斜面部１４１ａは、裏ユニット１１０の中央部側の位置（図８で右側の位置）に配置され、サブ統括制御基板３２０の下面３２３が当接するように形成されている。
【００８０】
第２斜面部１４１ｂは、外周フランジ１３３の一部を（サブ統括制御基板３２０の横の長さ分に相当する部分）後方向（Ｚ２方向）に対して右方（Ｘ２方向）に所定角度だけ傾けるようにして形成される。
【００８１】
第２斜面部１４１ｂは、裏ユニット１１０の外縁部１３０側の位置（図８で左側の位置）に、第１斜面部１４１ａと対向するように配置され、サブ統括制御基板３２０の前側面３２４が当接するように形成されている。
【００８２】
第１斜面部１４１ａと、第２斜面部１４１ｂとの大小関係は以下の通りである。
遊技盤７０の後面に対する第１斜面部１４１ａの傾斜角度をθ１、第２斜面部１４１ｂの傾斜角度をθ２とするとき、θ１、θ２は次の関係を有する。
θ１＞θ２
【００８３】
ケース３２１の下面３２３と前側面３２４とが直角（９０°）に交叉し、下面３２３に第１斜面部１４１ａが当接し、前側面３２４に第２斜面部１４１ｂが当接することから、θ１、θ２を加算した角度（θ１＋θ２）は、２直角（１８０°）から直角（９０°）を減算した値（９０°＝１８０°−９０°）となる。
【００８４】
θ１は、４５°≦θ１≦８５°であることが好ましく、５５°≦θ１≦６５°であることがより好ましい。
【００８５】
次に、傾斜角度θ１＝６０°として、サブ統括制御基板３２０が後方（Ｚ２方向）へ突出する量について検討する。なお、ケース３２１の縦の長さを”Ｌ”とし、さらに、Ｌ＝１２０ｍｍとする。
【００８６】
仮に、サブ統括制御基板３２０を後方向（Ｚ２方向）に対し左方（Ｘ１方向）に傾けないとき、突出量を”ＬＺ０”とすると、突出量ＬＺ０は、ケース３２１の縦の長さＬに相当する量となる（ＬＺ０＝１２０ｍｍ）。
【００８７】
これに対して、サブ統括制御基板３２０を左方（Ｘ１方向）へ傾けた状態で載置したとき、突出量を”ＬＺ１”とすると、突出量ＬＺ１は、Ｌ＊ｓｉｎ６０°の式で表される（ＬＺ１≒１０４ｍｍ）。
【００８８】
すなわち、サブ統括制御基板３２０を左方に傾けることにより、傾けないときに比べて、突出量がＬＺ０−ＬＺ１に相当する分だけ減少する（ＬＺ０−ＬＺ１＝１６ｍｍ（１２０ｍｍ−１０４ｍｍ））。
【００８９】
次に、サブ統括制御基板３２０が左方（Ｚ１方向：設置スペースの方）へ進出する量について検討する。進出量をＬｘとし、なお、θ１＝６０°とし、ケース３２１の縦の長さを”Ｌ”とし、さらに、Ｌ＝１２０ｍｍとする。ここでは、ケース３２１の厚さ２５ｍｍを考慮しないものとする。
【００９０】
進出量Ｌｘは、Ｌ＊ｃｏｓ６０°の式で表すことができる。すなわち、Ｌｘ＝６０ｍｍとなる。それにより、サブ統括制御基板３２０が左方へ大幅に変位せず、設置スペース１２０が設けられる領域が大幅に狭められるのを防止することが可能となる。
【００９１】
以上に、サブ統括制御基板３２０の後方突出量を抑えることを目的とする構成について説明した。
【００９２】
次に、同じ目的を達成するために組み合わされた３つの構成について図８、図９及び図１１から図１３を参照して説明する。
【００９３】
図８、図９及び図１３に示すように、サブ統括制御基板３２０が入賞口スイッチ３０９の後方に重なるように載置されている（第１の構成）。さらに、第２斜面部１４１ｂは、遊技盤７０の後面からの後方への高さ方向において、図８に示す低所部１４１ｃと図９に示す高所部１４１ｄとを有する（第２の構成）。低所部１４１ｃと高所部１４１ｄとの高低差は、約１８ｍｍである。
【００９４】
図１１〜図１３に示すように、第２斜面部１４１ｂに約１８ｍｍの高低差に対応して、ケース３２１の前側面３２４には、段差部３２４ａが設けられている（第３の構成）。段差部３２４ａにより、高所部１４１ｄに当接するケース３２１の前側面３２４は、低所部１４１ｃに当接するケース３２１の前側面３２４に対して約１８ｍｍの深さに相当する凹部になっている。
【００９５】
仮に、高低差及び段差部３２４ａを設けなければ、基板載置部１４０にサブ統括制御基板３２０を載置するとき、短手方向の長さ（約１５ｍｍ）だけ後方へ突出する入賞口スイッチ３０９に干渉させないよう、サブ統括制御基板３２０を約１５ｍｍ以上後方へ変位させてから載置する必要がある。これに対し、約１８ｍｍの高低差及び段差部３２４ａを設けたので、サブ統括制御基板３２０を約１５ｍｍ以上後方へ変位させてから載置する必要がない。すなわち、突出量が約１５ｍｍ減少する。
【００９６】
以上の３つの構成の組み合わせにより、サブ統括制御基板３２０の後方への突出量を抑えることが可能となる。また、サブ統括制御基板３２０を変位させずに基板載置部１４０に載置しても、入賞口スイッチ３０９と干渉するおそれがない。
【００９７】
また、サブ統括制御基板３２０の後方への突出量を抑えることで、その分だけ、可動演出装置２００の駆動機構等を大型化することができ、それにより、演出の興趣を向上させることが可能となる。
【００９８】
以上のように、第１に、入賞口スイッチ３０９がその長手方向を遊技盤７０の後面に沿うように配置されることにより、入賞口スイッチ３０９の突出量が約１５ｍｍ減少する。第２に、サブ統括制御基板３２０を左方へ傾けた状態（θ１＝６０°）で載置することにより、突出量が約１６ｍｍ減少する。第３に、上記３つの構成の組み合わせにより、突出量が約１５ｍｍ減少する。すなわち、サブ統括制御基板３２０の突出量は、全体的に約４６ｍｍ減少する（＝１５ｍｍ＋１６ｍｍ＋１５ｍｍ）。
【００９９】
（不正アクセス防止構造）
次に、入賞口スイッチ３０９に対する不正アクセスを防止する構造について説明する。
【０１００】
裏ユニット１１０の外縁部１３０により、外部からアクセスし難い内部スペースが画成されていることについては前述した。しかしながら、図１０に示すように、外周フランジ１３３には作業用開口１７０が開設され、スイッチ設置部１６０に装着された入賞口スイッチ３０９を作業用開口１７０に通して、後方へ抜き出すことが可能となる。
【０１０１】
しかし、以下の構造により、入賞口スイッチ３０９に対する不正アクセスが困難となる。スイッチ設置部１６０の右端の壁が、裏ユニット１１０の外縁壁１３４の一部を構成している。また、前述したように、スイッチ設置部１６０に装着された入賞口スイッチ３０９に対し、サブ統括制御基板３２０が後方から重なるように配置されている。
【０１０２】
それにより、入賞口スイッチ３０９は、その右方（Ｘ２方向）の位置が外縁壁１３４、その前方（Ｚ１方向）の位置が遊技盤７０、後方（Ｚ２方向）の位置がサブ統括制御基板３２０により囲まれた空間に配置されている。なお、入賞口スイッチ３０９の左方（Ｘ１方向）には、外周壁１３２に開設された挿通口１８０が位置している。しかし、入賞口スイッチ３０９の左方（Ｘ１方向）の位置（設置スペース１２０側の位置）から挿通口１８０を通して、入賞口スイッチ３０９に対するアクセスは元々困難となっている。
【０１０３】
したがって、入賞口スイッチ３０９が外部から囲まれた内部スペースの中に配置されているので、外部から入賞口スイッチ３０９に不正にアクセスするのを困難とすることが可能となる。
【０１０４】
（コネクタ）
図７に示すように、入賞口スイッチ３０９に対して裏ユニット１１０の中央部側の位置（可動演出装置２００が収容された設置スペース１２０側の位置）から接続され、入賞球が通過したときの信号を主制御基板３１０へ導くリード線３０９ｊが延設されたコネクタ３０９ｉが設けられている。
【０１０５】
このように設けられたコネクタ３０９ｉを入賞口スイッチ３０９から外すためには、元々アクセスするのが困難な裏ユニット１１０の中央部側の位置から行う必要があるため、入賞口スイッチ３０９に対する不正なアクセスが困難となる。
【０１０６】
さらに、コネクタ３０９ｉを抜き差しするためには、可動演出装置２００を外した上で、設置スペース１２０の方からコネクタ３０９ｉを入賞口スイッチ３０９に抜き差しする必要があるので、入賞口スイッチ３０９に対する不正なアクセスが困難となる。
【０１０７】
（リード線）
次に、リード線３０９ｊが配置される構成について図７を参照して説明する。
前述したように、底壁１３１に連続し、その位置から前方（Ｚ１方向）に立ち上がった外周壁１３２等により、設置スペース１２０が画成されている。また、この外周壁１３２の一部を傾斜させることにより第１斜面部１４１ａが形成されている。さらに、外周壁１１３２と可動体２１０との間の隙間には遮光部材１５０が設けられている。
【０１０８】
リード線３０９ｊは、第１斜面部１４１ａを含む外周壁１３２の内面側に配置されている。具体的には、リード線３０９ｊは、外周壁１３２と遮光部材１５０との間の隙間に沿って配置されている。そのため、その隙間をリード線３０９ｊの引き回しスペースとして有効に利用することが可能となる。また、リード線３０９ｊが外周壁１３２に対しその内面側（左方：Ｘ１方向）に配置されているため、外部からリード線３０９ｊに対して不正なアクセスするのが困難となる。
【０１０９】
なお、前記実施形態では、サブ統括制御基板３２０を傾けた状態で載置する基板載置部１４０を示したが、これに限らず、他の制御基板３００であっても良い。
【０１１０】
また、斜面部１４１が第１斜面部１４１ａ及び第２斜面部１４１ｂの両方を備えるものを示したが、制御基板３００を傾けた状態で載置可能なものであれば、いずれか一方であっても良い。
【符号の説明】
【０１１１】
１  遊技機
７０  遊技盤
７１  外レール
７２  内レール
７４  遊技領域
７５  装飾ランプ
７６  入賞口
７７  アウト球口
７８  図柄表示部
７９  始動口
８０  大入賞口
８０ａ  開閉扉
１００  センター役物
１００ａ  開口
１１０  裏ユニット
１２０  設置スペース
１３０  外縁部
１３１  底壁
１３２  外周壁
１３３  外周フランジ
１４０  基板載置部
１４１  斜面部
１４１ａ  第１斜面部
１４１ｂ  第２斜面部
１４１ｃ  低所部
１４１ｄ  高所部
１５０  遮光部材
１６０  スイッチ設置部
１７０  作業用開口
１８０  挿通口
２００  可動演出装置
２１０  可動体
２２０  後部
３００  制御基板
３０７  スイッチ
３０８  ソレノイド
３０９  入賞口スイッチ
３０９ａ  上面部
３０９ｂ  下面部
３０９ｃ  前端面部
３０９ｄ  後端面部
３０９ｅ  左端面部
３０９ｆ  右端面部
３０９ｇ  ソケット
３０９ｈ  通過口
３０９ｉ  コネクタ
３０９ｊ  リード線
３１０  主制御基板
３２０  サブ統括制御基板
３２１  ケース
３２２  上面
３２３  下面
３２４  前側面
３２４ａ  段差部
３２５  後側面
３２６  上側面
３２７  下側面
３３０  演出表示制御基板
３４０  音声・ランプ制御基板
３５０  図柄表示基板
３５１  特別図柄表示装置
３５２  普通図柄表示装置
３６０  賞球残数表示基板
３６１  賞球残数表示装置
【図１】
0005840906.tif 000002
【図２】
0005840906.tif 000003
【図３】
0005840906.tif 000004
【図４】
0005840906.tif 000005
【図５】
0005840906.tif 000006
【図６】
0005840906.tif 000007
【図７】
0005840906.tif 000008
【図８】
0005840906.tif 000009
【図９】
0005840906.tif 000010
【図１０】
0005840906.tif 000011
【図１１】
0005840906.tif 000012
【図１２】
0005840906.tif 000013
【図１３】
0005840906.tif 000014